(57)【要約】【課題】ラベルなどを用いることなく、各種工程の終了を簡単に確認可能にする。【解決手段】デジタルカメラのＥＥＰＲＯＭ内の固定値保管領域にＬＣＤの背景色を特定するための背景色特定データ領域を設ける。調整工程や検査工程などの各種工程を終了したときに、背景色特定データ領域中の背景色データを書き換える。このデータ領域中の背景色データを用いて、デジタルカメラの電源投入時や各種調整装置、検査装置を接続した時に、デジタルカメラのＬＣＤの背景色を表示する。この背景色を目視により確認することで、どの工程を終了した製品かが簡単に判る。工程飛ばしなどがなくなる他に、不具合品発生時の解析時に各工程の製品を瞬時に判別することができる。【選択図】        図５
2004199502.tif 000002
【特許請求の範囲】
【請求項１】
ディスプレイ装置を有し、複数の工程を経て製造される製品の工程管理方法において、
前記ディスプレイ装置の背景の色またはパターンを変えて前記各工程の終了を識別することを特徴とする工程管理方法。
【請求項２】
前記各工程の終了後に背景データを書き替えることを特徴とする請求項１記載の工程管理方法。
【請求項３】
前記各工程の一つは出荷検査工程であり、この出荷検査工程の終了後に背景データを製品としての初期設定画面の背景色に書き替えることを特徴とする請求項１または２記載の工程管理方法。
【請求項４】
ディスプレイ装置を有し、複数の工程を経て製造される製品に設けられる工程管理装置において、
前記ディスプレイ装置の背景データを記憶する手段と、
前記製品の工程を終了したときに、この終了した工程を識別するための特定色または特定パターンからなる背景データを前記記憶手段に書き込む手段と、
少なくとも前記ディスプレイ装置に電源が投入されたときに前記記憶手段の背景データを読み取って、この背景データに基づきディスプレイ装置の背景を特定色または特定パターンで表示する表示手段とを有することを特徴とする工程管理装置。
【請求項５】
ディスプレイ装置を有し、複数の工程を経て製造される製品に設けられる工程管理装置において、
前記各工程毎に識別可能な特定色または特定パターンを記憶する手段と、
前記製品の工程を終了する毎に、この工程を終了したことを識別するための工程完了識別データを記憶する手段と、
少なくとも前記ディスプレイ装置に電源が投入されたときに、前記工程完了識別データに基づいてこの工程完了識別データに対応する特定色または特定パターンを読み出し、この特定色または特定パターンに基づきディスプレイ装置の背景を表示する表示手段とを有することを特徴とする工程管理装置。
【発明の詳細な説明】
【０００１】
【発明の属する技術分野】
本発明は、ディスプレイ装置を有する各種製品の工程管理方法及び装置に関するものである。
【０００２】
【従来の技術】
生産管理システムなどにおいて、作業の進捗度を管理するものとして、一般的にはラベル等を製品に貼付し、例えばある種の調整工程や検査工程が終了済みであることを表示している。また、特許文献１に示されるように、ラベルの添付に代えて、電子式表示板を用いることも行われている。さらには、このようなラベルとか電子式表示板とかによる工程等の管理方法に代えて、特許文献２にあるように、コンピュータにより、対象物の個別状況情報を格納する格納領域とは別に、対象物の流入・流出の量に関する情報を記憶して進捗度を管理する方法などもある。
【０００３】
【特許文献１】
特開平５−８２６３２号公報（第２頁）
【特許文献２】
特開平７−８５１５２号公報（第３頁）
【０００４】
【発明が解決しようとする課題】
しかしながら、ラベルなどを貼付する方法であると、貼付のし忘れや、貼付しても剥離して紛失してしまうこともあり、充分な管理が行えないという問題がある。また、電子式表示板を用いる場合には、製品とは別個に電子式表示板が必要になりコストがかかってしまうという問題がある。また、コンピュータによって管理する方法では、コンピュータを介して製品の工程管理を把握する必要があり、作業者がその場で簡単に、どの工程まで進んでいるかを確認することができないという問題がある。
【０００５】
本発明は上記課題を解決するものであり、ラベルなどを用いることなく簡単に製品の工程進捗状況を確認することができるようにした工程管理方法及び装置を提供することを目的とする。
【０００６】
【課題を解決するための手段】
上記目的を達成するために、本発明では、ディスプレイ装置を有し、複数の工程を経て製造される製品の工程管理方法において、前記ディスプレイ装置の背景の色またはパターンを変えて前記各工程の終了を識別することを特徴とする。なお、前記各工程の終了後に背景データを書き替えることが好ましい。また、前記各工程の一つは出荷検査工程であり、この出荷検査工程の終了後に背景データを製品としての初期設定画面の背景色に書き替えることが好ましい。
【０００７】
また、ディスプレイ装置を有し、複数の工程を経て製造される製品に設けられる工程管理装置では、前記ディスプレイ装置の背景データを記憶する手段と、前記製品の工程を終了したときに、この終了した工程を識別するための特定色または特定パターンからなる背景データを前記記憶手段に書き込む手段と、少なくとも前記ディスプレイ装置に電源が投入されたときに前記記憶手段の背景データを読み取って、この背景データに基づきディスプレイ装置の背景を特定色または特定パターンで表示する表示手段とを有することを特徴とする。
【０００８】
さらに、ディスプレイ装置を有し、複数の工程を経て製造される製品に設けられる工程管理装置では、前記各工程毎に識別可能な特定色または特定パターンを記憶する手段と、前記製品の工程を終了する毎に、この工程を終了したことを識別するための工程完了識別データを記憶する手段と、少なくとも前記ディスプレイ装置に電源が投入されたときに、前記工程完了識別データに基づいてこの工程完了識別データに対応する特定色または特定パターンを読み出し、この特定色または特定パターンに基づきディスプレイ装置の背景を表示する表示手段とを有することを特徴とする。
【０００９】
【発明の実施の形態】
図１はデジタルカメラを背面から見た斜視図である。このデジタルカメラ１０は、光学式ファインダ１１、レリーズボタン１２、電源スイッチ１３、キー操作部１４、撮影した画像を確認するためのディスプレイとしての液晶パネル（ＬＣＤ）１５を備えている。キー操作部１４は、操作モードを切り換えるモード選択キー１６、確定キー１７、リセットキー１８や、ズーム操作や再生コマの切り換えなどに用いられる十字キー１９を備えている。モード選択キー１６は、押されることにより、撮影を行う撮影モード、撮影画像を再生する再生モード、各種設定を行うセットアップモードなどに切り換える。この後、確定キー１７が操作されることで、各モードが実行される。
【００１０】
図２はデジタルカメラ１０の電気的構成を示す概略図である。撮影レンズ２０の背後にはＣＣＤイメージセンサ（ＣＣＤ）２１が設けられている。撮影レンズ２０としては、固定焦点レンズやズームレンズなどが用いられる。ＣＣＤ２１で撮像したアナログの撮像信号は、Ａ／Ｄ変換器２２によりデジタルの画像データに変換される。
【００１１】
システムコントローラ２３は、信号処理回路２５、画像圧縮回路２６などを備えており、キー操作部１４の入力信号に基づいて、デジタルカメラ１０の各部を総括的に制御する。信号処理回路２５は、ガンマ補正、ホワイトバランス補正、シャープネス補正、ＹＣ処理、撮影レンズによる歪み補正処理などの各種信号処理を施す。画像圧縮回路２６は、画像処理後の画像データに対して所定の圧縮形式、例えばＪＰＥＧ形式で圧縮処理を施す。
【００１２】
システムコントローラ２３にはデータバス２８を介してＲＯＭ２９、ＲＡＭ３０、Ｉ／Ｏインターフェイス３１、ＵＳＢコントローラ３２などが接続されている他に、ＬＣＤ１５、メモリカード３３が接続されている。ＲＯＭ２９は、システムに組み込んだまま電気的に簡単にデータの消去や書き換えが可能なＥＥＰＲＯＭが用いられる。Ｉ／Ｏインターフェイス３１には、レリーズボタン１２、電源スイッチ１３、キー操作部１４などが接続されている。ＵＳＢコントローラ３２はＵＳＢコネクタ３５に接続されている。ＵＳＢコネクタ３５には、パソコンや後に説明する各種調整・検査装置３７のＵＳＢケーブル３６が接続され、これらとの間で各種データ通信が行われる。
【００１３】
システムコントローラ２３は、撮像モードのときには、ＣＣＤ２１からの画像データをスルー画像としてＬＣＤ１５に表示する。また、レリーズ操作が行われたときには、画像データを各種信号処理した後に圧縮処理して、これをメモリカード３３へ書き込む。
【００１４】
ＲＯＭ２９には、各種制御用のプログラムや設定情報などが記憶されている。システムコントローラ２３はこれら情報をＲＯＭ２９から作業用メモリであるＲＡＭ３０に書きだして各種の処理を実行する。
【００１５】
図３はＲＯＭ２９内のメモリマップの一例を示している。ＲＯＭ２９内には、プログラム領域４１、調整データ保管領域４２、固定値保管領域４３などが設けられている。固定値保管領域４３は、さらにカメラ用領域４４と再生用領域４５とに仕切られており、再生用領域４５には、例えば背景色特定データ領域４６が設けられている。
【００１６】
この背景色特定データ領域４６は、ＬＣＤ１５の初期画面における背景色を特定するためのデータ格納領域であり、予め初期状態では赤色で表示される背景色データが格納されている。そして、デジタルカメラ１０の生産工程のうち、例えば調整・検査工程において、各工程Ａ〜Ｄの終了後に、各工程Ａ〜Ｄに対応する背景色データが書き込まれる。
【００１７】
図４は、各工程Ａ〜Ｄの終了後に書き込まれる背景色データの一例を示す対応表である。この対応表５０において、ディフォルトでは、各アドレスに対して所定のデータが書き込まれており、背景色が赤色となるようにＬＣＤ１５が表示される。また、工程Ａを終了すると、各アドレスに対して所定のデータが書き込まれ、背景色が青色になるようにＬＣＤ１５が表示される。そして、工程Ｂを終了すると背景色が緑色となり、工程Ｃを終了すると背景色が黄色となるようにＬＣＤ１５が表示される。さらに、工程Ｄの出荷検査工程を終了すると、製品使用時に設定された背景色、たとえば白色となるように、ＬＣＤ１５が表示される。なお、各色は各工程の終了を目視にて識別可能なものであればよく、任意な色を設定してよい。
【００１８】
図５は、各工程における背景色切り換え処理を示すフローチャートである。例えば、工程ＡでＬＣＤ１５のホワイトバランス調整を行う際に、ホワイトバランス用の調整装置を例えばＵＳＢ接続する。このＵＳＢ接続によって、ＲＯＭ２９から背景色データが調整装置側に取り込まれる。調整装置では、背景色データに基づき本工程の対象品か否かを判定する。工程Ａでの対象品の背景色データは赤色であるので、赤色の場合には対象品と判定し、それ以外は対象品外と判定する。そして、対象品である場合には、データ転送によってデジタルカメラ１０の電源をオンにし、ＬＣＤ１５の背景色を赤色として表示する。このＬＣＤ１５の背景色をオペレータが観察することで、オペレータも本工程対象品か否かを瞬時に判定することができる。
【００１９】
次に、調整装置はデータ転送によって所定の手順でホワイトバランスの調整を行い、この調整が終了した後に、調整終了の確認キーなどをオペレータが操作することで、背景色を記録しているアドレスデータに対して、この工程が完了したことを示す背景色として青色表示データが書き込まれて、新たな背景色特定データに更新される。これにより、ホワイトバランス調整工程Ａが終了した時点でデジタルカメラ１０の電源を入れると、ＬＣＤ１５に初期画面が現れ、この初期画面の背景色が青色で表示される。また、次の他の調整工程Ｂ，Ｃや出荷検査工程で、各種調整装置や検査装置を例えばＵＳＢ接続すると、ＬＣＤ１５が所定の背景色で表示される。
【００２０】
このように、デジタルカメラ１０の電源をオンにしたときや、各種調整・検査装置３７などを接続した際に、デジタルカメラ１０のＬＣＤ１５の初期画面の背景色として、直前に処理された工程を識別する背景色が現れることで、どの工程まで終了しているかが目視により簡単に確認可能になる。なお、この背景色はデジタルカメラ１０の他のモードに設定しても、初期画面と同じ背景色としておくことが好ましく、この場合には、どのモード状態になっていても、デジタルカメラ１０の各工程の終了状態が目視で簡単に把握可能になる。
【００２１】
また、調整・検査装置３７をデジタルカメラ１０に接続した際に、現時点での背景色データを読み取ることで、この背景色データに基づき各種調整装置で受け入れ可能な製品か否かを簡単に判定することができる。例えば、工程Ｂにおいて、工程Ａを経ない製品が接続された場合には、背景色データが工程Ａを経た製品と異なる背景色データとなっているので、工程Ａが飛ばされた製品であることをこれら装置側で自動的に判定することができる。そして、本工程の対象製品ではない場合にはアラームが発せられて、オペレータに報知される。また、デジタルカメラ１０に電源が供給された段階でそのＬＣＤ１５の初期画面の背景色を目視によりオペレータが確認することで、同様にして本工程の対象製品か否かを簡単に知ることができる。
【００２２】
なお、背景色データの書き替え処理の態様は上記実施形態のものに限定されるものではなく、背景色を切り換えることができる処理であればよい。例えば、図５に示すフローチャートにおける背景色データに代えて、図６に示すように、工程完了識別データを用いて、背景色を特定してもよい。
【００２３】
まず、図４に示すような対応表に基づき、完了した工程を識別するための特定色を各工程毎に記憶しておく。次に、各工程を終了する毎に、この工程を終了したことを識別するための工程完了識別データを記憶する。そして、デジタルカメラ１０の電源が入れられたときや、各種調整・検査装置３７が接続されたときに、最後に書き込まれた工程完了識別データを読み出す。次に、工程完了識別データに基づき図４の関係から対応する特定色を読み出して、この特定色になるように、ＬＣＤ１５の背景を表示する。また、各工程完了識別データを各工程終了毎に記憶していく代わりに、工程完了識別データの内容を「ディフォルト」から「Ａ」へ、「Ａ」から「Ｂ」へ、「Ｂ」から「Ｃ」へ、「Ｃ」から「Ｄ」へのように内容を更新していってもよい。
【００２４】
なお、ＲＯＭ２９とは別個にシリアルＥＥＰＲＯＭを設けて、このシリアルＥＥＰＲＯＭに背景色特定データや工程完了識別データなどを書き込むようにしてもよい。
【００２５】
上記実施形態では、背景色は初期設定画面の全面に表示される態様で説明したが、この他に、画面の周縁部に枠状に配置したエリアのみの背景を切り換えるものでもよい。表示画面の一部の背景色を変える態様は、枠状のものの他に、画面の一辺に沿った帯状エリアのみや、画面の角部に配置した矩形または三角形などの各種形状エリアのみであってもよい。
【００２６】
また、背景色を変える他に、背景パターンを変えて、工程終了済みの識別マークとしてもよい。例えば、第１工程終了識別背景パターンとして、縦縞パターン、次に斜め縞パターン、次に横縞パターン、次に格子パターンなどのように次々と各種パターンに変えていくことで、各工程が終了しているか否かを容易に目視で確認することができる。そして、最後に、製品として用いる背景色のベタパターンを割り振っておくことで、製品としての出荷検査終了後には、使用状態と同じ背景色になる。また、背景の色またはパターンを変える代わりに、各工程終了を識別するマークをＬＣＤの一部に表示させてもよい。
【００２７】
なお、上記実施形態では、デジタルカメラ１０を例にとって説明したが、本発明の対象製品はデジタルカメラ１０に限られず、ＬＣＤ１５などのディスプレイ装置を有する電気製品であればよく、例えば携帯電話、ディスプレイ付きプリンタ、パソコン、携帯情報端末、その他の各種電化製品に対し実施することができる。
【００２８】
【発明の効果】
本発明によれば、ディスプレイ装置の背景の色またはパターンを変えて各種工程の終了を識別するようにしたから、従来のようにラベルや表示装置を製品に付加する必要もなく、簡単に各工程の終了の有無を確認することができる。したがって、工程飛ばしなどがなくなる他に、不具合品発生時の解析時に各工程の製品を瞬時に判別することができる。しかも、工程管理用のパソコンなども不必要になり、簡単に工程管理が可能になる。
【図面の簡単な説明】
【図１】本発明の工程管理方法が実施されるデジタルカメラの斜視図である。
【図２】デジタルカメラの電気的構成を示す概略図である。
【図３】ＲＯＭ内のメモリマップの一例を示す説明図である。
【図４】各工程と背景色との関係を示す対応表である。
【図５】各工程における背景色切り換え処理を示すフローチャートである。
【図６】他の実施形態における背景色切り換え処理を示すフローチャートである。
【符号の説明】
１０  デジタルカメラ
１５  液晶パネル（ＬＣＤ）
２０  撮影レンズ
２１  ＣＣＤイメージセンサ（ＣＣＤ）
２３  システムコントローラ
２９  ＲＯＭ
３７  調整・検査装置
４６  背景色特定データ領域
【図１】
2004199502.tif 000003
【図２】
2004199502.tif 000004
【図３】
2004199502.tif 000005
【図４】
2004199502.tif 000006
【図５】
2004199502.tif 000007
【図６】
2004199502.tif 000008